(57)【特許請求の範囲】
【請求項１】
支柱より外方に向かって対称的に突設した複数の支持腕と、少なくとも該支持腕を囲んで該支持腕に結合した複数の光透過性の前面板と背面板とをそれらの周縁部で結合してなる中空体で形成してなる表示パネルと、少なくとも該支持腕と該表示パネルに囲まれた空間内に配設した照明用光源と、を備え、
前記複数の支持腕は、前記支持腕の長手方向に沿ってその前後双方の側面に前記表示パネルを取り付けて支持する支持レールそれぞれを有し、
前記表示パネルは、前記背面板に固着した座体に嵌合固定される結合部材を介してそれぞれの前記支持レールに着脱自在に結合してなることを特徴とする支柱取付型照明看板。
【発明の詳細な説明】
【０００１】
【発明の属する技術分野】
本発明は支柱取付型照明看板に関し、更に詳しくは、独立した支柱または構築物等に付帯する支柱等により支持されて、突出した位置に明るい表示を浮かび上がらせるよう設けられる照明看板装置に関するものである。
【０００２】
【従来の技術】
従来から、金属製の枠体の内部に、補強骨材を設けて照明用光源を配設するとともに、その外周を化粧鋼板等で覆って看板構造体とし、更に金属枠に表示面板を装着した表示体を、蝶番等を用いて該看板構造体の表側や裏側に取り付けた立設看板は、店頭などに置く移動式看板や固定式看板などとして広く用いられている。そのために、コンビニエンスストアやファミリーレストラン等におけるポールサインとして、立設した支柱上にこのような構造の看板を溶接などで固定して設けた装置が、普通に使用されている。
【０００３】
しかし、このような高所に設置される看板装置は、安全性を確保するために重量が重くなるほか、常時風雨に晒されるために、雨水の浸入による腐食や錆の発生、塵埃や昆虫等の侵入による表示面の汚染や、外面への汚れの付着などの問題がある。そして、地上の装置に比べて清掃などの作業に危険が伴い、設置費用が嵩むばかりでなく維持管理の費用も多くかかるという問題もあった。
【０００４】
また、このような高所に設置されている看板装置は、化粧金属面が大きくて照明光源の利用効率が低いうえ、照明された表示面の割合が小さく、多方向からの視認性が十分でないという欠点がある。さらに、このようなポールサインは、店舗の廃止や新設に伴って解体されるが、これらの殆どは再利用が困難なために廃棄物となり、その処理のための無駄なエネルギーと費用とが必要であった。
【０００５】
【発明が解決しようとする課題】
そこで本発明は、上述のような従来の支柱取付型照明看板における問題点を解決するために、表示面の汚染などが少なくて清掃等の保守作業も容易であり、構造が簡素且つ軽量であって回収再利用も容易であるほか、設置ならびに維持管理も極めて経済的な、改良された支柱取付型照明看板を提供することを目的としたものである。
【０００６】
【課題を解決するための手段】
上記の目的を達成することができる本発明の支柱取付型照明看板は、支柱より外方に向かって対称的に突設した複数の支持腕と、少なくとも該支持腕を囲んで該支持腕に結合した複数の光透過性の前面板と背面板とをそれらの周縁部で結合してなる中空体で形成してなる表示パネルと、少なくとも該支持腕と該表示パネルに囲まれた空間内に配設した照明用光源と、を備え、前記複数の支持腕は、前記支持腕の長手方向に沿ってその前後双方の側面に前記表示パネルを取り付けて支持する支持レールそれぞれを有し、前記表示パネルは、前記背面板に固着した座体に嵌合固定される結合部材を介してそれぞれの前記支持レールに着脱自在に結合してなることを特徴とするものである。
【０００８】
【発明の実施の形態】
本発明の支柱取付型照明看板の例を、図に基づいて説明する。
図１は、ファミリーレストランの入口脇などに立設された、支柱取付型照明看板の例における組み立て前の状態を示す斜視図であり、図２および図３は、それぞれ看板部の組み立て状態の縦断面図および横断面図である。これらの図において、１は地盤内に設置した基礎上に設けた柱の、上端部に続けて立設された支柱であり、その上端近傍に、上下２段の上支持腕２と下支持腕３が、左右および上下９称的に且つ水平方向に突設されている。そして上支持腕２と下支持腕３のそれぞれの前後双方の側面には、表示パネル６を取り付けるための上支持レール４と下支持レール５が、それぞれ設けてある。
【０００９】
表示パネル６は、例えばアクリル樹脂、ポリカーボネート樹脂などの光透過性の硬質合成樹脂等を用いて成形された、例えば乳白色半透明などの前面板６１と、同様な光透過性の硬質合成樹脂等を用いて成形された、乳白色半透明または透明などの背面板６２を、それらの周縁部分を接合するなどの方法で中空体としたものである。そしてこの中空体の、好ましくは背面板６２の一部などに、雨水や害虫などが侵入できないように、撥水性の通気性膜などで塞いだ通気孔６２ａを複数個設けて、中空体の内外の気圧を均等化することにより、温度の変化があっても表示パネル６に異常な応力がかからないようにすることが望ましい。
【００１０】
更に、この背面板６２外側の上部と下部には、それぞれ上結合部材７と下結合部材８が取り付けられており、前記の上支持レール４と下支持レール５にそれぞれ結合させることで、上支持腕２と下支持腕３に対して、表示パネル６を固定できるように構成されている。そして、このような表示パネル６の結合構造は、表示パネル６の後側に隠れるよう、充分に小さい寸法に製作されるのが望ましいが、それでも結合構造を外部から見えないようにするために、背面板６２の側端部に背後方向へ延びた張出部６２ｂを形成して、背中合わせに取り付けた２個の表示パネル６の間に、隙間が生じないようにしてある。
【００１１】
このような表示パネル６に取り付けられる上結合部材７や下結合部材８は、例えば長尺のアルミニウム押出型材などで形成されたもので、背面板６２の上部と下部にそれぞれ形成してある、例えば上取付座６２ｃ、下取付座６２ｄなどの座面に、結合用座体１０を介して固定されている。ここで用いられる結合用座体１０は、図４に示したように、結合部材の基部を挿着するための断面Ｃ形の挿着溝１０ａを備えたもので、結合する部材の熱膨張の差による応力の発生を緩和するため、例えば硬質合成樹脂で形成されており、挿着溝１０ａの中央部にねじ用の貫通孔１０ｂが設けてある。
【００１２】
この結合用座体１０は、上取付座６２ｃ、下取付座６２ｄの座面に対して、例えばシート状の両面接着材１１とタッピングねじ１２との併用により、挿着溝１０ａの向きが座面の方向と一致するような姿勢で、所望の個数を並べて取り付けられる。そして、上結合部材７や下結合部材８は、上取付座６２ｃや下取付座６２ｄの一方端から、挿着溝１０ａに順次に挿通され、その後に適宜の留め具などを用いて、挿着溝１０ａに沿って滑動しないように固定するのがよい。
【００１３】
こうして表示パネル６に取り付けた上結合部材７や下結合部材８は、図５および図６に示すように構成されたものである。すなわち、上結合部材７の基部は、上取付座６２ｃ内の結合用座体１０の挿着溝１０ａに挿着固定され、上結合部材７の結合部には係合板７ａと係合溝７ｂと当接面７ｃとが形成されている。また下結合部材８の基部も上記と同様に、下取付座６２ｄ内の結合用座体１０の挿着溝１０ａに挿着固定されている一方、下結合部材８の結合部には、当接突起８ａと、係止爪８ｂと、係止爪８ｂを付勢する係止スプリング８ｃと、係止スプリング８ｃに抗して係止爪８ｂを後退させる係止解除ボタン８ｄと、副当接突起８ｅとが設けられている。
【００１４】
なお、本発明では、表示パネル６の背後側に照明用光源９が設けられる。本例では、照明用光源９は、例えば背面板６２などに固着された、耐熱合成樹脂製の端子支持体９１やランプ支持体９２などに装着することで、表示パネル６に対して着脱自在に支持されるよう構成されているが、特にはこれに限られるものではなく、支柱１や支持腕２、３などに支持されるように構成されていてもよい。
【００１５】
前記のような上結合部材７や下結合部材８を結合することにより、表示パネル６を支持することができる上支持レール４及び下支持レール５は、例えば長尺のアルミニウム押出型材などで形成されたもので、上支持腕２及び下支持腕３に対して、ボルトやドリルネジなどの適宜の止着手段により固定されている。そして上支持レール４や下支持レール５の端部には、懸架した上結合部材７や下結合部材８の横方向移動を防止するために、側端板４１、５１をそれぞれ設けておくことが好ましい。
【００１６】
そして、上支持レール４の支持部には、上結合部材７の係合板７ａと結合するための係合突起４ａと、同じく係合溝７ｂに嵌合し且つ当接面７ｃを支承する支持突起４ｂが突設してある。また下支持レール５の支持部には、下結合部材８の当接突起８ａと結合するための支承突起５ａと、係止爪８ｂと係合し且つ副当接突起８ｅを支承する係止突起５ｂが突設してある。
【００１７】
このような上支持レール４及び下支持レール５に対して、表示パネル６を取り付けるには、まず表示パネル６の上結合部材７を、上支持レール４に近づけるように表示パネル６を傾けて、上結合部材７の係合板７ａを上支持レール４の係合突起４ａの下側に挿入し、支持突起４ｂに係合溝７ｂを係合させる。それから、表示パネル６の下結合部材８を下支持レール５に近づけると、下結合部材８の当接突起８ａが支承突起５ａの先端部に当接すると同時に、上結合部材７の当接面７ｃが支持突起４ｂの前面に当接して、表示パネル６が上支持レール４に懸架される。
【００１８】
この状態で、表示パネル６の下結合部材８を、更に下支持レール５に向かって押すと、副当接突起８ｅに当接した係止突起５ｂの先端部に係止爪８ｂが係合して、表示パネル６が下支持レール５に確実に係止される。このときに、係合板７ａと支持突起４ｂとの間に安全キー４２を挿着すると、上支持レール４に対する上結合部材７の懸架状態が固定されて、表示パネル６が脱落するなどの不測の事故の発生を予防することができる。
【００１９】
一方、この係止状態から表示パネル６を取り外すときには、先ず上記の安全キー４２を外し、次いで下結合部材８の係止解除ボタン８ｄを押すと、係止スプリング８ｃが押し縮められて係止爪８ｂが後退し、係止突起５ｂから係止爪８ｂが外れるので、下結合部材８は下支持レール５から自由に離すことができる状態となる。従って、表示パネル６の下部を下支持レール５から離すように引くと、上結合部材７の係合板７ａと上支持レール４の係合突起４ａとの係合も解除され、表示パネル６は支持突起４ｂのみに懸架された状態となって、自由に取り外しができるようになる。
【００２０】
本発明の支柱取付型照明看板は、支柱１、支持腕２及び３からなる支持構造体、特に支持腕を囲むように、上記のように構成された中空の表示パネル６を、取り付けて構成されるものである。この支持構造体は、本例では立柱上に設けたものであるが、これに限らず、適宜の建築物や構築物などに取り付けられていてもよい。また支持構造体は、設置する環境に応じて、本発明の範囲内で適宜に変更を加えることができる。
【００２１】
本発明の支柱取付型照明看板において、支持構造体は簡素な構成を備えているために、製作が容易であるほか軽量化でき、設置工事が従来に比べて大幅に簡単となる。一方で、表示パネル自体は軽量化され、しかも支持構造体への着脱が簡単であるので、汚染の除去や照明用光源や損傷部品の交換などの保守作業が、極めて容易であるうえ、表示パネルの交換も自由に行えるものである。
【００２２】
【発明の効果】
本発明の支柱取付型照明看板は、支柱に対して対称位置に外方に向かって突設した複数の支持腕と、該支柱と該照明用光源とを囲んで該支持腕に結合した複数の光透過性の表示パネルと、該支柱と該支持腕と該表示パネルに囲まれた空間内に配設した照明用光源とを備えてなるもので、表示パネル内に雨水の浸入による錆や虫、ゴミなどのための表示面の汚染などが少なくて清掃等の保守作業も容易であり、構造が簡素且つ軽量であって建設や回収再利用も容易であるため、設置費用が節減されるほか、維持管理の費用も少なくて済み、しかも部品等の回収再利用も容易で、廃棄物発生量の抑制にも有効であるという効果がある。
【図面の簡単な説明】
【図１】本発明の支柱取付型照明看板の例の組み立てる前の状態の斜視図である。
【図２】本発明の支柱取付型照明看板の縦断面図である。
【図３】本発明の支柱取付型照明看板の横断面図である。
【図４】本発明の支柱取付型照明看板における座体の取付状態を示す斜視図である。
【図５】本発明の支柱取付型照明看板における上支持レールに上結合部材を結合した状態を示す縦断面図である。
【図６】本発明の支柱取付型照明看板における下支持レールに下結合部材を結合した状態を示す縦断面図である。
【図７】本発明の支柱取付型照明看板における照明用光源を支持するランプ支持体の外観を示す図で、（Ａ）は正面図、（Ｂ）は側面図である。
【符号の説明】
１          支柱
２          上支持腕
３          下支持腕
４          上支持レール
４ａ        係合突起
４ｂ        支持突起
４１        側端板
４２        安全キー
５          下支持レール
５ａ        支承突起
５ｂ        係止突起
５１        側端板
６          表示パネル
６１        前面板
６２        背面板
６２ａ      通気孔
６２ｂ      張出部
６２ｃ      上取付座
６２ｄ      下取付座
７          上結合部材
７ａ        係合板
７ｂ        係合溝
７ｃ        当接面
８          下結合部材
８ａ        当接突起
８ｂ        係止爪
８ｃ        係止スプリング
８ｄ        係止解除ボタン
８ｅ        副当接突起
９          照明用光源
９１        端子支持体
９２        ランプ支持体
１０        結合用座体
１０ａ      挿着溝
１０ｂ      貫通孔
１１        両面接着材
１２        タッピングねじ
【図１】
0004630419.tif 000002
【図２】
0004630419.tif 000003
【図３】
0004630419.tif 000004
【図４】
0004630419.tif 000005
【図５】
0004630419.tif 000006
【図６】
0004630419.tif 000007
【図７】
0004630419.tif 000008